(57)【要約】【課題】従来よりも高い断熱性を有する断熱スクリーンを提供すること。【解決手段】織物又は不織布で構成された生地層１１と、樹脂で構成された不透湿性の樹脂層１２と、金属を含んで構成され赤外線を反射する金属層１３と、樹脂で構成され赤外線を透過する赤外線透過層１４と、がこの順で積層されてなることを特徴とする断熱スクリーン１である。また、樹脂で構成され少なくとも表面に意匠性を施した不透湿性の樹脂層１２Ａと、金属を含んで構成され赤外線を反射する金属層１３と、樹脂で構成され赤外線を透過する赤外線透過層１４と、がこの順で積層されてなることを特徴とする断熱スクリーン１Ａである。【選択図】図１
2015165085.tif 000002
【特許請求の範囲】
【請求項１】
樹脂で構成され、少なくとも表面に意匠性を施した、不透湿性の樹脂層と、
金属を含んで構成され、赤外線を反射する金属層と、
樹脂で構成され、赤外線を透過する赤外線透過層と、がこの順で積層されてなることを特徴とする断熱スクリーン。
【請求項２】
織物又は不織布で構成された生地層と、
樹脂で構成された不透湿性の樹脂層と、
金属を含んで構成され、赤外線を反射する金属層と、
樹脂で構成され、赤外線を透過する赤外線透過層と、がこの順で積層されてなることを特徴とする断熱スクリーン。
【請求項３】
前記断熱スクリーンは、可視光線透過率が３０〜８０％であることを特徴とする請求項１又は２に記載の断熱スクリーン。
【請求項４】
前記赤外線透過層は、ポリプロピレン樹脂、ポリエチレン樹脂、オレフィン樹脂及びポリアミド樹脂からなる群より選ばれる少なくとも１種で構成され、且つその赤外線透過率が６０〜９９％であることを特徴とする請求項１から３いずれかに記載の断熱スクリーン。
【請求項５】
建物の窓枠に取り付けられるロールスクリーンであって、
請求項１から４いずれかに記載の断熱スクリーンと、
前記窓枠の上横枠に設けられ、前記断熱スクリーンを巻き取る巻取部と、
前記窓枠の両縦枠に設けられ、前記断熱スクリーンの両側端部がスライド可能に挿入されるガイド溝を有する一対のサイドレールと、を備えることを特徴とするロールスクリーン。
【請求項６】
前記一対のサイドレールのガイド溝の内側には、気密弁が設けられていることを特徴とする請求項５に記載のロールスクリーン。
【発明の詳細な説明】
【技術分野】
【０００１】
本発明は、断熱スクリーン及びこれを用いたロールスクリーンに関する。
【背景技術】
【０００２】
従来、建物の開口部に設置される光反射性の断熱スクリーンが提案されている（例えば特許文献１参照）。この断熱スクリーンは、光反射性の金属層と、該金属層の表面を覆う光拡散層とを備えることで、太陽光熱を反射して屋内温度の上昇を防止する。
【先行技術文献】
【特許文献】
【０００３】
【特許文献１】特開２００３−２６６５９０号公報
【発明の概要】
【発明が解決しようとする課題】
【０００４】
しかしながら特許文献１の断熱スクリーンでは、光拡散層が赤外線波長領域に吸収ピークを有するポリエチレン繊維等の不織布で構成される。従って、特許文献１の断熱スクリーンでは、光拡散層中のポリエチレン繊維が赤外線を吸収するため、太陽光熱の反射効果はほとんど得られないのが現状である。
【０００５】
本発明は上記に鑑みてなされたものであり、その目的は、従来よりも高い断熱性を有する断熱スクリーンを提供することにある。
【課題を解決するための手段】
【０００６】
（１）  本発明は、樹脂で構成され、少なくとも表面に意匠性を施した、不透湿性の樹脂層（例えば、後述の樹脂層１２Ａ）と、金属を含んで構成され、赤外線を反射する金属層（例えば、後述の金属層１３）と、樹脂で構成され、赤外線を透過する赤外線透過層（例えば、後述の赤外線透過層１４）と、がこの順で積層されてなることを特徴とする断熱スクリーン（例えば、後述の断熱スクリーン１Ａ）を提供する。
【０００７】
（２）  また本発明は、織物又は不織布で構成された生地層（例えば、後述の生地層１１）と、樹脂で構成された不透湿性の樹脂層（例えば、後述の樹脂層１２）と、金属を含んで構成され、赤外線を反射する金属層（例えば、後述の金属層１３）と、樹脂で構成され、赤外線を透過する赤外線透過層（例えば、後述の赤外線透過層１４）と、がこの順で積層されてなることを特徴とする断熱スクリーン（例えば、後述の断熱スクリーン１）を提供する。
【０００８】
（３）  （１）又は（２）の断熱スクリーンは、可視光線透過率が３０〜８０％であることが好ましい。
【０００９】
（４）  （１）から（３）いずれかの赤外線透過層は、ポリプロピレン樹脂、ポリエチレン樹脂、オレフィン樹脂及びポリアミド樹脂からなる群より選ばれる少なくとも１種で構成され、且つその赤外線透過率が６０〜９９％であることが好ましい。
【００１０】
（５）  また、建物の窓枠（例えば、後述の窓枠９）に取り付けられるロールスクリーン（例えば、後述のロールスクリーン２，２Ａ）であって、（１）から（４）いずれかの断熱スクリーンと、前記窓枠の上横枠（例えば、後述の上横枠９１）に設けられ、前記断熱スクリーンを巻き取る巻取部（例えば、後述のカバーボックス２０，２０Ａ、巻取軸２４）と、前記窓枠の両縦枠（例えば、後述の左縦枠９２，右縦枠９３）に設けられ、前記断熱スクリーンの両側端部がスライド可能に挿入されるガイド溝（例えば、後述のガイド溝２２０Ａ，２２０Ｂ）を有する一対のサイドレール（例えば、後述のサイドレール２１，２２）と、を備えることを特徴とするロールスクリーンを提供する。
【００１１】
（６）  前記一対のサイドレールのガイド溝の内側には、気密弁（例えば、後述の気密弁２２１Ａ，２２１Ｂ）が設けられていることが好ましい。
【発明の効果】
【００１２】
本発明によれば、従来よりも高い断熱性を有する断熱スクリーンを提供できる。
【図面の簡単な説明】
【００１３】
【図１】本発明の第１実施形態に係る断熱スクリーンの断面図である。
【図２】上記実施形態に係る断熱スクリーンを用いた内付型のロールスクリーンの正面図である。
【図３】上記実施形態に係る断熱スクリーンを用いた内付型のロールスクリーンの縦断面図である。
【図４】上記実施形態に係る断熱スクリーンを用いた内付型のロールスクリーンのサイドレール部分の横断面図である。
【図５】上記実施形態に係る断熱スクリーンを用いた外付型のロールスクリーンの正面図である。
【図６】上記実施形態に係る断熱スクリーンを用いた外付型のロールスクリーンの縦断面図である。
【図７】本発明の第２実施形態に係る断熱スクリーンの断面図である。
【発明を実施するための形態】
【００１４】
以下、本発明の実施形態について、図面を参照しながら詳しく説明する。なお、第２実施形態の説明において、第１実施形態と共通する構成については同一の符号を付し、その説明を省略する。
【００１５】
（第１実施形態）
＜断熱スクリーン＞
図１は、第１実施形態に係る断熱スクリーン１の断面図である。
図１に示すように、本実施形態に係る断熱スクリーン１は、４層からなる積層体で構成される。より詳しくは、断熱スクリーン１は、生地層１１と、樹脂層１２と、金属層１３と、赤外線透過層１４と、がこの順で積層されて構成される。
また、本実施形態の断熱スクリーン１は、生地層１１を屋内側に向け、赤外線透過層１４を屋外側に向けた状態で、後述するロールスクリーンとして使用される。
【００１６】
生地層１１は、屋内側の最表面に配置される層であり、意匠性を付与する層である。この生地層１１は、織物又は不織布で構成される。具体的には、生地層１１は、ポリエステル樹脂、ナイロン樹脂、綿、麻等の織物又は不織布で構成されることが好ましい。生地層１１が織物や不織布で構成されることで、樹脂等の無機質感が排除され、高い意匠性が付与される。
【００１７】
生地層１１の膜厚は、断熱スクリーン１の巻き径と重量の関係から、１ｍｍ以下であることが好ましい。生地層１１の膜厚が１ｍｍを超えると、断熱スクリーン１の巻き径が大きくなるため、巻き取った断熱スクリーン１を収容する後述のカバーボックス２０の寸法が大きくなる結果、圧迫感が生じて美観を損ねる。より好ましい生地層１１の膜厚は、６００μｍ以下である。
【００１８】
樹脂層１２は、樹脂で構成された不透湿性の樹脂膜であり、後述する金属層１３を保持する機能を有する。具体的には、樹脂層１２は、ポリウレタン樹脂、ポリエステル樹脂（例えばポリエチレンテレフタレート等）、アクリル樹脂、ポリアミド樹脂（例えばナイロン等）、フッ素樹脂、オレフィン樹脂（例えばポリプロピレンやポリエチレン等）及びポリ塩化ビニル樹脂からなる群より選ばれる少なくとも１種で構成されることが好ましい。樹脂層１２がこれらの樹脂で構成されることで、不透湿性が付与される。
ここで、「不透湿性の樹脂膜」とは、透湿度が０％のものに限定されず、本実施形態の効果が阻害されない範囲内であれば、極僅かな透湿性を有するものも含むことを意味する。
なお、樹脂層１２は、後述する金属層１３を保護する機能を有し、具体的には湿気に対する耐食性を向上させる機能を有する。
【００１９】
樹脂層１２の膜厚は、断熱スクリーン１の巻き径と重量の関係から、２００μｍ以下であることが好ましい。樹脂層１２の膜厚が２００μｍを超えると、断熱スクリーン１の剛性が大きくなり硬くなるため、断熱スクリーン１を巻き取り難くなる。より好ましい樹脂層１２の膜厚は、５０μｍ以下である。
【００２０】
金属層１３は、金属を含んで構成され、赤外線を反射する層である。具体的には、金属層１３は、アルミニウム、チタン、銀、銅、ＩＴＯ（酸化インジウムスズ）、ＳＵＳ（ステンレス鋼）及び金属酸化物からなる群より選ばれる少なくとも１種で構成されることが好ましい。金属層１３がこれら金属を含んで構成されることで、赤外線反射機能が付与される。
【００２１】
金属層１３の膜厚は、赤外線反射性能と可視光透過性能の観点から、６〜３０ｎｍであることが好ましい。金属層１３の膜厚が６ｎｍ未満であると、赤外線反射性能が悪化し、赤外線をほとんど反射しなくなる。また、金属層１３の膜厚が３０ｎｍを超えると、可視光の透過性が悪化する。金属層１３の膜厚が６〜３０ｎｍの範囲内であれば、赤外線を反射しつつ、可視光を透過させることができる。
【００２２】
赤外線透過層１４は、樹脂で構成され、赤外線を透過する樹脂膜であり、上述の金属層１３を保護する機能を有する。具体的には、赤外線透過層１４は、ポリプロピレン樹脂、ポリエチレン樹脂、オレフィン樹脂及びポリアミド樹脂からなる群より選ばれる少なくとも１種で構成され、且つその赤外線透過率が６０〜９９％であることが好ましい。金属層１３を覆う赤外線透過層１４の赤外線透過率がこの範囲内であることで、赤外線透過層１４が金属層１３の赤外線反射機能を損なうことがなく、金属層１３により太陽光熱が高い効率で反射される。
【００２３】
なお、成形性等の観点から、通常、赤外線透過層１４の膜厚は１〜５０μｍである。従って、赤外線透過層１４が上記の樹脂で構成されることで、その赤外線透過率が６０〜９９％の範囲内に設定される。
【００２４】
ここで、赤外線透過率は、ＪＩＳ  Ｒ３１０６に準拠した測定方法により、例えば以下の測定条件により測定される。
［赤外線透過率測定条件］
測定機器：島津サイエンス株式会社製「ＦＴ−ＩＲ８９００」
測定波長：５〜２５μｍ
【００２５】
本実施形態に係る断熱スクリーン１は、その可視光線透過率が３０〜８０％であることが好ましい。断熱スクリーン１の可視光透過率がこの範囲内であることで、高い可視光透過率によって、太陽光の明るさが屋内に取り込まれる。
【００２６】
ここで、可視光透過率は、ＪＩＳ  Ｒ３１０６に準拠した測定方法により、例えば以下の測定条件により測定される。
［可視光線透過率測定条件］
測定機器：島津サイエンス株式会社製「ＵＶ３１００ＰＣ」
測定波長：３８０〜７８０ｎｍ
【００２７】
本実施形態の断熱スクリーン１は、以下の製法により製造される。
先ず、生地層１１と樹脂層１２を接着剤で貼り合わせ、これを基材としてスパッタリング法により金属層１３を積層する。さらにその上に、赤外線透過層１４を接着剤で貼り合わせる。これにより、断熱スクリーン１が得られる。
なお、製造方法は上記方法に限定されない。例えば、生地層１１と樹脂層１２を接着剤で貼り合わせ、スパッタリング法により金属層１３を積層した赤外線透過層１４を、すでに貼り合わせた生地層１１と樹脂層１２に接着剤で貼り合わせることで、断熱スクリーン１を得てもよい。
【００２８】
＜ロールスクリーン＞
先ず、内付型のロールスクリーンについて説明する。
図２は、上述の断熱スクリーン１を用いた内付型のロールスクリーン２の正面図である。また、図３は、上述の断熱スクリーン１を用いた内付型のロールスクリーン２の縦断面図である。
図２及び３に示すように、ロールスクリーン２は、矩形に枠組みされて建物の内壁８の開口部に取り付けられた窓枠９に取り付けられる。ロールスクリーン２は、断熱スクリーン１を巻き取り可能に保持し、断熱スクリーン１を下方まで引き出すことで、開口部装置７（図２では引違い窓を例示）とガラス７０を覆う。
【００２９】
ロールスクリーン２は、上述した本実施形態の断熱スクリーン１と、カバーボックス２０と、一対のサイドレール２１，２２と、ボトムバー２３と、を備える。
【００３０】
カバーボックス２０は、窓枠９を構成する上横枠９１の内周面（下面）に取り付けられる。カバーボックス２０は、上横枠９１に沿って、窓枠９の上側２箇所の隅部まで延設された箱状部材である。即ち、カバーボックス２０は、上横枠９１の内周に嵌合して取り付けられる。
また、カバーボックス２０は、断熱スクリーン１を巻き取り可能に支持する巻取軸２４を内部に収容し、巻き取った断熱スクリーン１を収容するカバー部材として機能する。
なお、カバーボックス２０は四角形状で図示したが、これに限定されない。例えば、円形状、Ｒ形状、Ｌ字形状でもよい。
【００３１】
一対のサイドレール２１，２２は、窓枠９を構成する左縦枠９２と右縦枠９３にそれぞれ取り付けられる。より詳しくは、これらサイドレール２１，２２は、両縦枠に沿って、上述のカバーボックス２０の両端部から窓枠９の下側２箇所の隅部まで延設され、両縦枠の内周面に取り付けられる。即ち、これらサイドレール２１，２２は、両縦枠の内周に嵌合して取り付けられる。
【００３２】
また、サイドレール２１，２２は、断熱スクリーン１の両側端部がスライド可能に挿入されるガイド溝をそれぞれ有する。両ガイド溝の構造は同一であるため、以下、サイドレール２２のガイド溝の構造についてのみ説明する。
【００３３】
図４は、上述の断熱スクリーン１を用いた内付型のロールスクリーン２のサイドレール２２の横断面図である。図４では、サイドレール２２のガイド溝の構造について、２つのバリエーションを例示している。
図４（Ａ）に示す例では、サイドレール２２のガイド溝２２０Ａは、サイドレール２２の見込方向の略中央に設けられ、見付方向外側（図４の右側）に真っ直ぐ延びた後、徐々に拡径するように設けられている。また、ガイド溝２２０Ａの拡径部の内側面には、ゴム等からなる気密弁２２１Ａがリベット等により取り付けられている。断熱スクリーン１の側端部は、この気密弁２２１Ａにより挟持された状態で上下にスライド可能となっており、これにより気密性が確保される。
【００３４】
図４（Ｂ）に示す例では、サイドレール２２のガイド溝２２０Ｂは、サイドレール２２の見込方向の略中央に設けられ、見付方向外側（図４の右側）に真っ直ぐ延びた後、見込方向屋内側と屋外側とにそれぞれ屈曲して延設されている。ガイド溝２２０Ａの屈曲部の内側面には、ゴム等からなる気密弁２２１Ｂがリベット等により取り付けられている。断熱スクリーン１の側端部は、この気密弁２２１Ｂにより挟持された状態で上下にスライド可能となっており、これにより気密性が確保される。
【００３５】
図２及び３に戻って、ボトムバー２３は、断熱スクリーン１の下端縁に取り付けられる。使用者がこのボトムバー２３に手を掛けて、断熱スクリーン１の巻取り及び引下げが行われる。
【００３６】
以上の構成を備えるロールスクリーン２は、ボトムバー２３を下端まで引き下げて固定すると、窓枠９とロールスクリーン２との隙間が無くなり、窓枠９内が密閉される。即ち、図３に示すように、ガラス７０と、窓枠９及びロールスクリーン２とで囲まれた密閉空間３が形成される。
これにより、形成された密閉空間３が空気の断熱層として作用するため、屋内の暖房熱をより確実に反射し、熱を外部に逃がさないため、高い断熱性が得られる。
また、上述したように断熱スクリーン１の樹脂層１２は不透湿性を有することから、上述のような密閉空間３を形成できる本実施形態のロールスクリーン２によれば、外部への湿気の移動が確実に防止され、ガラス７０の結露が抑制される。また、屋内の湿度が高く維持され、屋内の過乾燥が防止される。
【００３７】
次に、外付型のロールスクリーンについて説明する。
図５は、上記実施形態に係る断熱スクリーン１を用いた外付型のロールスクリーン２Ａの正面図である。図６は、上記実施形態に係る断熱スクリーン１を用いた外付型のロールスクリーン２Ａの縦断面図である。
図５及び６に示すように、ロールスクリーン２Ａは、上述のロールスクリーン２と比べて、カバーボックス２０Ａの取付位置が相違する他は、同様の構成となっている。即ち、ロールスクリーン２Ａは外付型のロールスクリーンであり、カバーボックス２０Ａは上横枠９１の屋内側の見付面に取り付けられている。このロールスクリーン２Ａにおいても、ロールスクリーン２と同様の気密弁２２１Ａ，２２１Ｂを適用できる。従って、ロールスクリーン２Ａでは、断熱スクリーン１を最下方まで引き下げてボトムバー２３を固定することで、高い気密性が得られる。
【００３８】
以上説明した本実施形態によれば、以下の効果が奏される。
本実施形態では、織物又は不織布で構成された生地層１１と、樹脂で構成された不透湿性の樹脂層１２と、金属を含んで構成され、赤外線を反射する金属層１３と、樹脂で構成され、赤外線を透過する赤外線透過層１４と、をこの順で積層して断熱スクリーン１を構成した。
これにより、金属層１３を覆う赤外線透過層１４を屋外側に向けて配置することで、金属層１３の赤外線反射機能が損なわれることがなく、太陽光からの赤外線を金属層１３により確実に反射できる。即ち、太陽光熱を確実に反射でき、高い遮熱性が得られる。
また、金属層１３は赤外線を反射して熱を発生しないため、最も屋内側に配置される生地層１１の方が屋内の暖房熱等によって金属層１３よりも高温となる。そのため、断熱スクリーン１内で形成されるこの温度勾配によって、屋内の熱が外部に伝わり難くなる結果、より高い断熱性が得られる。
また、生地層１１を屋内側に向けて配置することで、樹脂層１２等の無機質感を無くし、高い意匠性を付与できる。
また、樹脂層１２は不透湿性を有するため、屋内の湿気を通し難い。そのため、ガラス７０の結露を低減でき、屋内の過乾燥を抑制できる。
【００３９】
上述した特許文献１の断熱スクリーンは、不織布からなる光拡散層に加えて、不織布層をさらに備えるため、可視光透過率が低く、室内の明るさを十分確保できない。これに対して本実施形態では、断熱スクリーン１の可視光線透過率を３０〜８０％に設定した。これにより、高い可視光透過率が得られるため、太陽光の明るさを屋内に確実に取り込むことができる。
【００４０】
また本実施形態では、赤外線透過層１４の赤外線透過率を６０〜９９％に設定した。これにより、金属層１３の赤外線反射機能を損なうことなく、太陽光を高い効率で反射できる。そのため、夏の屋内温度の上昇を抑制できるとともに、輻射を大きくして屋内の熱を外部に伝え難くすることができる。
【００４１】
また本実施形態では、上述の効果を有する断熱スクリーン１をロールスクリーン２，２Ａに用いた。これにより、上述の効果を有する断熱スクリーン１をロールスクリーン２，２Ａに用いたことで、上述の効果がより確実に発揮され、高い断熱性が得られるため、冷暖房費を低減できる。
【００４２】
従来の特許文献１のロールスクリーンの取り付け構造では、ロールスクリーンと壁や窓枠との間に隙間が多く空いており、湿度や熱の遮断ができないため、窓ガラスの結露やコールドドラフト等の問題が生じていた。
そこで、本実施形態では、一対のサイドレール２１，２２のガイド溝の内側に、気密弁２２１Ａ，２２１Ｂを設けた。これにより、ボトムバー２３を下端まで引き下げて固定すると、窓枠９とロールスクリーン２，２Ａとの隙間が無くなり、窓枠９内が密閉される。即ち、ガラス７０と、窓枠９及びロールスクリーン２，２Ａとで囲まれた密閉空間３が形成される。すると、形成された密閉空間３，３Ａが空気の断熱層として作用するため、屋内の暖房熱をより確実に反射し、熱を外部に逃がさないため、高い断熱性が得られる。隙間が無いため、コールドドラフトの発生も防止できる。気密弁２２１Ａ，２２１Ｂは、ポリウレタン、ポリエステル、ゴム系の材質（ブチル、シリコン、クロロプレン、テフロン（登録商標）、ＮＢＲ、ＳＢＲ、ＥＰ、ＥＰＤＭ等）、紙、金属、木材、ＰＶＣ、ＦＲＰ等で構成される。
また、上述したように断熱スクリーン１の樹脂層１２は不透湿性を有することから、上述のような密閉空間３，３Ａを形成できる本実施形態のロールスクリーン２，２Ａによれば、外部への湿気の移動を確実に防止でき、ガラス７０の結露を抑制できる。また、屋内の湿度を高く維持でき、屋内の過乾燥を防止できる。
また、ロールスクリーン２，２Ａを下端まで引き下げた際に、ガラス７０と窓枠９及びロールスクリーン２，２Ａとの間に密閉空間３，３Ａが形成されることで、災害時にガラス７０が割れても屋内にガラス片が飛び散らず、安全である。
【００４３】
（第２実施形態）
図７は、第２実施形態に係る断熱スクリーン１Ａの断面図である。
図７に示すように、本実施形態に係る断熱スクリーン１Ａは、生地層を有さない３層からなる積層体で構成される点と、樹脂層１２Ａの少なくとも表面に意匠性が施されている点において、上述の第１実施形態に係る断熱スクリーン１と相違する。なお、これらの相違点以外の構成については、第１実施形態と同一であり、上述の各ロールスクリーンに適用可能である点においても第１実施形態と同一である。
【００４４】
樹脂層１２Ａの表面に意匠性を付与する方法としては、例えば当該表面への型押しや印刷が挙げられる。また、樹脂層表面を加飾する方法も挙げられる。これらの方法により、生地層を設けないことで屋内側に露出する樹脂層１２Ａの表面に、意匠性が付与される。
【００４５】
以上の構成を備える本実施形態の断熱スクリーン１Ａによれば、第１実施形態の断熱スクリーン１と同様の効果が奏される。
【００４６】
なお、本発明は上記実施形態に限定されるものではなく、本発明の目的を達成できる範囲での変形、改良等は本発明に含まれる。
上記実施形態では断熱スクリーンをロールスクリーンとして用いたがこれに限定されない。例えば、建物の外側に設置されて日差しを遮るオーニング等に用いることもできる。
また、上記実施形態における屋外側の赤外線透過層の屋外側表面にも、意匠性を施してもよい。
【符号の説明】
【００４７】
１，１Ａ…断熱スクリーン
２，２Ａ…ロールスクリーン
９…窓枠
１１…生地層
１２，１２Ａ…樹脂層
１３…金属層
１４…赤外線透過層
２０…カバーボックス（巻取部）
２１，２２…サイドレール
２４…巻取軸（巻取部）
９１…上横枠
９２…左縦枠（両縦枠）
９３…右縦枠（両縦枠）
２２０Ａ，２２０Ｂ…ガイド溝
２２１Ａ，２２１Ｂ…気密弁
【図１】
2015165085.tif 000003
【図２】
2015165085.tif 000004
【図３】
2015165085.tif 000005
【図４】
2015165085.tif 000006
【図５】
2015165085.tif 000007
【図６】
2015165085.tif 000008
【図７】
2015165085.tif 000009